(57)【要約】【課題】ベースに透光性キャップを密着する操作がし易く簡単で、プリント配線基板にも何の影響を与えることもなく、防水性に非常に優れたＬＥＤランプを提供する。【解決手段】ベース１の収容空間６にプリント配線基板３を収容し、このベース１にＬＥＤ発光体４を固着したものとし、前記ベース１の段周部７に防水リング５を嵌め込んで、このベース１のネジ溝８に前記透光性キャップ２のネジ溝１１をねじ込んでいくときに、この透光性キャップ２のテーパ周面１３が、前記防水リング５の傾斜周面５ｃに接触し、この傾斜周面５ｃを押圧して弾性変形させて、接触面を広くするようにしている。【選択図】図２
2011054372.tif 000002
【特許請求の範囲】
【請求項１】
ベース（１）、透光性キャップ（２）、プリント配線基板（３）、ＬＥＤ発光体（４）、防水リング（５）を備えてなるものとし、前記ベース（１）は、内部に収容空間（６）を有し、上部の内周に防水リング（５）を嵌め込むための段周部（７）が設けられ、この段周部（７）の下方の内周にネジ溝（８）が形成されたものとし、前記透光性キャップ（２）は、下部の外周にフランジ（１２）を突設し、このフランジ（１２）の下方の外周に内方に傾斜させたテーパ周面（１３）を形成し、さらにこのテーパ周面（１３）の下方の外周にネジ溝（１１）を形成したものとし、前記防水リング（５）は、前記ベース（１）の段周部（７）の側周面（７ａ）と接触するようにした接触周面（５ａ）、前記段周部（７）の底周面（７ｂ）と接触するようにした接触周面（５ｂ）、および透光性キャップ（２）のテーパ周面（１３）と接触するようにした傾斜周面（５ｃ）を有したリングとし、前記ベース（１）の収容空間６に前記プリント配線基板（３）を収容し、このベース（１）に前記ＬＥＤ発光体（４）を固着したものとし、前記ベース（１）の段周部（７）に防水リング（５）を嵌め込んで、このベース（１）のネジ溝（８）に前記透光性キャップ（２）のネジ溝（１１）をねじ込んでいくときに、この透光性キャップ（２）のテーパ周面（１３）が、前記防水リング（５）の傾斜周面（５ｃ）に接触し、この傾斜周面（５ｃ）を押圧して弾性変形させて、接触面を広くするようにしたことを特徴とするＬＥＤランプ。
【請求項２】
前記防水リング（５）の傾斜周面（５ｃ）を透光性キャップ（２）のテーパ周面（１３）で押圧して弾性変形させることにより、防水リング（５）の接触周面（５ａ）が前記ベース（１）の段周部（７）の側周面（７ａ）にも押圧され、この側周面（７ａ）と接触周面（５ａ）との密着性も増大し、さらに防水リング（５）の接触周面（５ｂ）が前記ベース（１）の段周部（７）の底周面（７ｂ）にも押圧され、この底周面（７ｂ）と接触周面（５ｂ）との密着性も増大するようにしたことを特徴とする請求項１記載のＬＥＤランプ。
【請求項３】
前記透光性キャップ（２）のテーパ周面（１３）を、傾斜角（α）を有するものとし、この傾斜角（α）を１５〜４５度にし、前記防水リング（５）の傾斜周面（５ｃ）を、傾斜角（β）を有するものとし、この傾斜角（β）を１５〜４５度にしたことを特徴とする請求項１記載のＬＥＤランプ。
【請求項４】
前記防水リング（５）の接触周面（５ａ）を、二個の凸状周面に間に一個の凹状周面を形成したものとし、前記ベース（１）の段周部（７）の側周面（７ａ）と密着しているときに、これら二個の凸状周面との密着部の間に一個の凹状周面による空間部が形成されるようにしたことを特徴とする請求項２記載のＬＥＤランプ。
【発明の詳細な説明】
【技術分野】
【０００１】
この発明は、店舗、駐車場等の看板、遊園地等の遊技施設の電飾、道路工事現場、建築作業現場等の標識などに使用されるＬＥＤランプに関するものである。
【背景技術】
【０００２】
従来、この種のＬＥＤランプとしては、例えば図１１〜１７に示したように、ベース２１、透光性キャップ２２、プリント配線基板２３、ＬＥＤ発光体２４、パッキン２５などを備えてなるものが存在する（特許文献１）。
【０００３】
このＬＥＤランプは、図１２、１３に示したように、ベース２１の筒状体の上端周囲に周溝２６を形成したものとし、この周溝２６にリング状の前記パッキン２５を収容し、透光性キャップ２２の略半球の下端周囲には前記ベース２１の周溝２６に入り込むようにしたリング状の第一突条２７ａを形成したものとしている。そして、図１４、１５に示したように、ベース２１の周溝２６に収容されたパッキン２５に、透光性キャップ２２の第一突条２７ａを押圧させて、このパッキン２５を押し潰すようにして、パッキン２５と第一突条２７ａを密着させ、さらに前記透光性キャップ２２の端面２２ａを、前記ベース２１の端面２１ａに接着させることにより、ベース２１に透光性キャップ２２を密着したものとしている。
【０００４】
前記透光性キャップ２２の端面２２ａを、前記ベース２１の端面２１ａに接着させるには、第一突条２７ａまたは周溝２６の内側に位置する透光性キャップ２２の端面２２ａを、第一突条２７ａまたは周溝２６の内側に位置するベース２１の端面２１ａに接着剤を用いたり、熱溶着によったり、第一突条２７ａまたは周溝２６の外側に位置する透光性キャップ２２の端面２２ａを、第一突条２７ａまたは周溝２６の外側に位置するベース２１の端面２１ａに接着剤を用いたり、熱溶着によったりして、接着させるものとしている。
【０００５】
熱溶着による場合には、透光性キャップ２２の端面２２ａに、図１４に示したように前記第一突条２７ａより小径としたリング状の第二突条２７ｂを形成したり、図１５に示したように前記第一突条２７ａより大径としたリング状の第二突条２７ｂを形成して、この第二突条２７ｂを超音波等で溶融させて、図１６、１７に示したように、ベース２１の端面２１ａに溶着させるものとしている。
【０００６】
このように構成された従来のＬＥＤランプは、ベース２１と透光性キャップ２２との密着が完全なものとなり、防水性に非常に優れたものとなるという効果を有している。
【先行技術文献】
【特許文献】
【０００７】
【特許文献１】特開２００７−２０７５７６号公報
【発明の概要】
【発明が解決しようとする課題】
【０００８】
しかしながら、上記従来のＬＥＤランプでは、前記ベース２１と透光性キャップ２２の間にパッキン２５を介在させて押圧させると共に、前記透光性キャップ２２の端面２２ａを、前記ベース２１の端面２１ａに接着させることにより、ベース１に透光性キャップ３を密着したものとしているので、これら二段階のほぼ同時に行なう操作がし難く、面倒であるという問題点を有していた。
【０００９】
さらに、上記従来のＬＥＤランプでは、前記ベース２１と透光性キャップ２２との密着を接着剤を用いて行なう場合には、接着剤を乾かせる時間が必要で、作業能率が悪いという問題点を有しており、また前記ベース２１と透光性キャップ２２との密着を熱溶着による場合には、超音波を用いているため、この超音波がプリント配線基板２３に作用して、そのプリント配線に悪影響を与える可能性があるという問題点を有していた。
【００１０】
そこで、この発明は、ベースに透光性キャップを密着する操作がし易く簡単で、プリント配線基板にも何の影響を与えることもなく、ベースと透光性キャップとの密着が完全なものとなり、防水性に非常に優れたＬＥＤランプを提供することを目的としてなされたものである。
【課題を解決するための手段】
【００１１】
この発明のＬＥＤランプは、ベース１、透光性キャップ２、プリント配線基板３、ＬＥＤ発光体４、防水リング５を備えてなるものとし、前記ベース１は、内部に収容空間６を有し、上部の内周に防水リング５を嵌め込むための段周部７が設けられ、この段周部７の下方の内周にネジ溝８が形成されたものとし、前記透光性キャップ２は、下部の外周にフランジ１２を突設し、このフランジ１２の下方の外周に内方に傾斜させたテーパ周面１３を形成し、さらにこのテーパ周面１３の下方の外周にネジ溝１１を形成したものとし、前記防水リング５は、前記ベース１の段周部７の側周面７ａと接触するようにした接触周面５ａ、前記段周部７の底周面７ｂと接触するようにした接触周面５ｂ、および透光性キャップ２のテーパ周面１３と接触するようにした傾斜周面５ｃを有したリングとし、前記ベース１の収容空間６に前記プリント配線基板３を収容し、このベース１に前記ＬＥＤ発光体４を固着したものとし、前記ベース１の段周部７に防水リング５を嵌め込んで、このベース１のネジ溝８に前記透光性キャップ２のネジ溝１１をねじ込んでいくときに、この透光性キャップ２のテーパ周面１３が、前記防水リング５の傾斜周面５ｃに接触し、この傾斜周面５ｃを押圧して弾性変形させて、接触面を広くするようにしている。
【００１２】
さらに、この発明のＬＥＤランプは、前記防水リング５の傾斜周面５ｃを透光性キャップ２のテーパ周面１３で押圧して弾性変形させることにより、防水リング５の接触周面５ａが前記ベース１の段周部７の側周面７ａにも押圧され、この側周面７ａと接触周面５ａとの密着性も増大し、さらに防水リング５の接触周面５ｂが前記ベース１の段周部７の底周面７ｂにも押圧され、この底周面７ｂと接触周面５ｂとの密着性も増大するようにしている。
【００１３】
また、この発明のＬＥＤランプは、前記透光性キャップ２のテーパ周面１３を、傾斜角αを有するものとし、この傾斜角αを１５〜４５度にし、前記防水リング５の傾斜周面５ｃを、傾斜角βを有するものとし、この傾斜角βを１５〜４５度にしたものとしている。
【００１４】
さらに、この発明のＬＥＤランプは、前記防水リング５の接触周面５ａを、二個の凸状周面に間に一個の凹状周面を形成したものとし、前記ベース１の段周部７の側周面７ａと密着しているときに、これら二個の凸状周面との密着部の間に一個の凹状周面による空間部が形成されるようにしている。
【発明の効果】
【００１５】
この発明のＬＥＤランプは、以上に述べたように構成されており、ベースに透光性キャップを密着する操作がし易く簡単なものとなり、プリント配線基板にも何の影響を与えることもなく、ベースと透光性キャップとの密着が完全なものとなり、防水性に非常に優れたものとなった。
【図面の簡単な説明】
【００１６】
【図１】この発明のＬＥＤランプの一実施形態を示す正面図である。
【図２】図１中のＡ−Ａ線によるこの発明のＬＥＤランプの断面図である。
【図３】この発明のＬＥＤランプのベースを斜め上方から見た斜視図である。
【図４】図３中のＢ−Ｂ線によるこの発明のＬＥＤランプのベースの断面図である。
【図５】この発明のＬＥＤランプの透光性キャップの斜め下方から見た斜視図である。
【図６】（ａ）はこの発明のＬＥＤランプの透光性キャップの正面図であり、（ｂ）は（ａ）中のＣ−Ｃ線によるこの発明のＬＥＤランプの透光性キャップの断面図である。
【図７】この発明のＬＥＤランプの防水リングの斜め上方から見た斜視図である。
【図８】この発明のＬＥＤランプの防水リングの平面図である。
【図９】この発明のＬＥＤランプの防水リングの正面図である。
【図１０】図８中のＤ−Ｄ線によるこの発明のＬＥＤランプの防水リングの断面図である。
【図１１】従来のＬＥＤランプの一例を示す断面図である。
【図１２】従来のＬＥＤランプのベースを斜め上方から見た斜視図である。
【図１３】従来のＬＥＤランプの透光性キャップの斜め下方から見た斜視図である。
【図１４】従来のＬＥＤランプのベースと透光性キャップとを密着する前の状態の一例を示す説明図である。
【図１５】従来のＬＥＤランプのベースと透光性キャップとを密着する前の状態の他の例を示す説明図である。
【図１６】図１４に示す従来のＬＥＤランプのベースと透光性キャップとを密着した後の状態を示す説明図である。
【図１７】図１５に示す従来のＬＥＤランプのベースと透光性キャップとを密着した後の状態を示す説明図である。
【発明を実施するための形態】
【００１７】
以下、この発明のＬＥＤランプの実施の形態を、図面に基づいて詳細に説明する。
【００１８】
この発明のＬＥＤランプは、図１、２に示したように、ベース１、透光性キャップ２、プリント配線基板３、ＬＥＤ発光体４、防水リング５などを備えてなるものとしている。
【００１９】
ベース１は、図２〜４に示したように、硬質合成樹脂材よりなる有底の筒状体としており、内部には収容空間６を有しており、上部の内周には後に述べる防水リング５を嵌め込むための段周部７が設けられており、この段周部７の下方の内周にはネジ溝８が形成されており、底部の外周にはネジ山９を形成した口金１０を固着したものとしている。なお、前記ネジ溝８は、後に述べる透光性キャップ２の下部の外周に形成されたネジ溝１１がねじ込まれるものであり、連続的に形成したものとしてもよいが、図示したように断続的に形成したものとしてもよい。また、前記口金１０は、図示したものでは外周にネジ山９を形成したものとしているが、さまざまなタイプの口金とすることができるのは言うまでもない。
【００２０】
透光性キャップ２は、図２、５、６に示したように、硬質合成樹脂材よりなる略半球体としており、下部の外周にフランジ１２を突設し、このフランジ１２の下方の外周に内方に傾斜させたテーパ周面１３を形成し、さらにこのテーパ周面１３の下方の外周に前記ネジ溝１１を形成したものとしている。なお、前記テーパ周面１３は、傾斜角αを有するものとしている。この傾斜角αは、１５〜４５度にするのが、後に述べる防水リング５の傾斜周面５ｃを押圧し易くなるので好ましい。また、前記透光性キャップ２は、透光性であれば特に限定されることはなく、透明、半透明、乳白色等としたり、しかも光拡散性を有するもの等としてもよい。さらに、前記フランジ１２は、ベース１のネジ溝８に透光性キャップ２のネジ溝１１をねじ込んだときに、その下端をベース１の上端に接触させて、ベース１と透光性キャップ２との間に隙間ができないようにしている。
【００２１】
プリント配線基板３は、図示していないがサイリスタやコンデンサなどが搭載されている。ＬＥＤ発光体４は、単数多数個からなるものとし、多数個からなる場合には集合型ＬＥＤ発光体としている。
【００２２】
防水リング５は、ゴムや合成樹脂などからなる弾性変形可能なものとしており、図７〜１０に示したように、前記ベース１の段周部７に丁度嵌め込まれる大きさに形成されており、段周部７の側周面７ａと接触するようにした接触周面５ａ、段周部７の底周面７ｂと接触するようにした接触周面５ｂ、および透光性キャップ２のテーパ周面１３と接触するようにした傾斜周面５ｃを有したリングとしている。なお、前記傾斜周面５ｃは、傾斜角βを有するものとしている。この傾斜角βは、１５〜４５度にするのが、透光性キャップ２のテーパ周面１３に押圧されて密着し易くなるので好ましい。また、前記防水リング５の接触周面５ａは、一個の凸状周面としたものとしてもよいが、二個の凸状周面に間に一個の凹状周面を形成したものとすれば、ベース１の段周部７の側周面７ａと密着しているときに、これら二個の凸状周面との密着部の間に一個の凹状周面による空間部が形成されることになり、この空間部によって後に述べるように、密着状態がより保たれるものとなる。
【００２３】
そして、前記ベース１には、収容空間６にプリント配線基板３が収容されており、このプリント配線基板３がベース１に固着され、収容空間６から突き出すようにしてＬＥＤ発光体４がこのベース１に固着されている。そして、このＬＥＤ発光体４を覆うようにして、ベース１に透光性キャップ３が、以下のように密着されて被せられる。
【００２４】
先ず、前記ベース１の段周部７に防水リング５を嵌め込んだ状態で、このベース１の収容空間６に透光性キャップ２の下部を差し込み、ベース１のネジ溝８に透光性キャップ２のネジ溝１１を突き合わせる。
【００２５】
そして、前記ベース１の上端と透光性キャップ２のフランジ１２の下端とが接触するまで、前記ベース１のネジ溝８に透光性キャップ２のネジ溝１１をねじ込んでいくと、この透光性キャップ２のテーパ周面１３が、ベース１の段周部７に嵌め込んだ防水リング５の傾斜周面５ｃに接触し、この傾斜周面５ｃを押圧して弾性変形させて、接触面を広くするので、密着性が増大する。この場合、前記したように、テーパ周面１３の傾斜角αを１５〜４５度にし、傾斜周面５ｃの傾斜角βを１５〜４５度にするのが、傾斜周面５ｃが弾性変形して接触面が広がり易いものとなり、テーパ周面２ａとの密着性が増大し易いものとなる。
【００２６】
さらに、前記防水リング５は、傾斜周面５ｃを透光性キャップ２のテーパ周面１３で押圧して弾性変形させることにより、接触周面５ａが前記ベース１の段周部７の側周面７ａにも押圧され、この側周面７ａと接触周面５ａとの密着性も増大し、さらに接触周面５ｂが前記ベース１の段周部７の底周面７ｂにも押圧され、この底周面７ｂと接触周面５ｂとの密着性も増大することになる。なお、防水リング５の接触周面５ａは、前記したような二個の凸状周面に間に一個の凹状周面を形成したものとすれば、ベース１の段周部７の側周面７ａと密着しているときに、これら二個の凸状周面との密着部の間に一個の凹状周面による空間部が形成されることになり、例えば雨水等が浸入した場合でも、この雨水が一旦、この空間部に溜められることによって、ベース１の収容空間６への浸入が阻止され、密着状態がより保たれるものとなる。
【００２７】
したがって、この発明のＬＥＤランプは、ベース１に透光性キャップ２をねじ込むだけでよいので、ベース１に透光性キャップ２を密着する操作がし易く簡単なものとなり、しかもこの密着操作をする場合に超音波を用いることもないので、プリント配線基板３にも何の影響を与えることもなく、ベース１と透光性キャップ２との密着が完全なものとなり、防水性に非常に優れたものとなる。
【符号の説明】
【００２８】
１  ベース
２  透光性キャップ
３  プリント配線基板
４  ＬＥＤ発光体
５  防水リング
５ａ  接触周面
５ｂ  接触周面
５ｃ  傾斜周面
６  収容空間
７  段周部
７ａ  側周面
７ｂ  底周面
８  ネジ溝
１１  ネジ溝
１２  フランジ
１３  テーパ周面
α  傾斜角
β  傾斜角
【図１】
2011054372.tif 000003
【図２】
2011054372.tif 000004
【図３】
2011054372.tif 000005
【図４】
2011054372.tif 000006
【図５】
2011054372.tif 000007
【図６】
2011054372.tif 000008
【図７】
2011054372.tif 000009
【図８】
2011054372.tif 000010
【図９】
2011054372.tif 000011
【図１０】
2011054372.tif 000012
【図１１】
2011054372.tif 000013
【図１２】
2011054372.tif 000014
【図１３】
2011054372.tif 000015
【図１４】
2011054372.tif 000016
【図１５】
2011054372.tif 000017
【図１６】
2011054372.tif 000018
【図１７】
2011054372.tif 000019